(57)【要約】     【課題】収容物の釣用餌が海水等で水浸しになった場合でも、釣用餌の排出を防止しつつ排水することができる釣用バケツの提供。    【解決手段】  本発明に係る釣用バケツ１は、上面に開口を有する容器状に形成されたバケツ本体３と、バケツ本体３に設けられ、上記開口を開閉する蓋部材５と、上記蓋部材の隅部７又は上記バケツ本体３の側壁１１に設けられた窓部９とを備えている。この窓部９は、上記蓋部材５が上記開口を閉じた状態で上記バケツ本体３の内部と外部とを連通し、通水性を有するメッシュ構造又はスリット構造を備えている。上記窓部９は、小孔又はスリットからなる複数の細隙が設けられており、直径が１．０ｍｍを超える粒子の通過が阻止されることが好ましい。【選択図】図１
2005304301.tif 000002
【特許請求の範囲】
【請求項１】
上面に開口を有する容器状に形成されたバケツ本体と、バケツ本体に設けられ、上記開口を開閉する蓋部材とを有し、
蓋部材が上記開口を閉じた状態で上記バケツ本体の内部と外部とを連通する窓部が当該蓋部材の隅部又は上記バケツ本体の側壁に設けられており、
当該窓部は、通水性を有するメッシュ構造又はスリット構造を備えている釣用バケツ。
【請求項２】
上記窓部には、直径が１．０ｍｍを超える粒子の通過を阻止する小孔又はスリットからなる複数の細隙が設けられている請求項１に記載の釣用バケツ。
【請求項３】
上記蓋部材に設けられた窓部は、蓋部材から隆起形成されたベース部に形成されており、この蓋部材には、当該ベース部を覆う被覆姿勢と開放する開放姿勢との間で姿勢変化するカバーが設けられている請求項１又は２に記載の釣用バケツ。
【請求項４】
上記カバーは、上記ベース部に嵌合されることによって上記被覆姿勢に保持される形状に形成されている請求項３に記載の釣用バケツ。
【請求項５】
上記カバーを上記開放姿勢に保持する姿勢保持部材が設けられている請求項３又は４に記載の釣用バケツ。
【請求項６】
上記側壁に設けられた窓部は、当該側壁の上部に位置し、この窓部を開閉することができるカバーが備えられている請求項１又は２に記載の釣用バケツ。
【発明の詳細な説明】
【技術分野】
【０００１】
本発明は、魚釣りの際に釣人が携行する釣用バケツに関するものである。
【背景技術】
【０００２】
例えば、撒き餌を使用するウキ釣りおいては、釣人は予め必要な量の撒き餌を釣用バケツに入れて釣り場に持ち込む。図１０は、従来の釣用バケツの正面図である（例えば、特許文献１参照）。
【０００３】
同図が示すように従来の釣用バケツ１１９は、合成樹脂からなる本体１２１と、本体１２１の両側面１２３に取り付けられた一対の把手１２５とを有する。本体１２１は、直方体の容器状に形成されており、内部にオキアミ等の餌が収容される。把手１２５はポリエチレン等により構成され、取付用ステー１２７を介して本体１２１に取り付けられている。把手１２５の基端部１２９は、取付用ステー１２７に設けられたボス部１３１に嵌め込まれており、把手１２５は回動自在となっている。
【特許文献１】特開２００２−１８６３９４公報
【発明の開示】
【発明が解決しようとする課題】
【０００４】
ところで、釣り場では、急に雨が降ったり、風が強くなって波が高くなることも珍しくない。そのため、実釣中に釣用バケツに海水等が入り、釣用餌が水浸しになることもある。そのような場合、釣人は釣用バケツを傾けて排水しなければならないが、そのときに釣用餌も海水と共に排出されてしまうという問題があった。
【０００５】
そこで、本発明の目的は、釣用餌を収容した状態で海水等が侵入した場合であっても、釣用餌の排出を防止しつつ排水することができる釣用バケツを提供することである。
【課題を解決するための手段】
【０００６】
本発明に係る釣用バケツは、上面に開口を有する容器状に形成されたバケツ本体と、バケツ本体に設けられ、上記開口を開閉する蓋部材を備えている。さらに、蓋部材が上記開口を閉じた状態で上記バケツ本体の内部と外部とを連通する窓部が当該蓋部材の隅部又は上記バケツ本体の側壁に設けられており、当該窓部は、通水性を有するメッシュ構造又はスリット構造を備えている。
【０００７】
上記窓部は、直径が１．０ｍｍを超える粒子の通過を阻止する小孔又はスリットからなる複数の細隙が設けられていることが好ましい。
【０００８】
上記窓部が蓋部材に設けられている場合には、蓋部材から隆起形成されたベース部に形成されており、この蓋部材に当該ベース部を覆う被覆姿勢と開放する開放姿勢との間で姿勢変化するカバーが設けられていることがより好ましい。
【０００９】
さらに好ましくは、上記カバーは、上記ベース部に嵌合されることによって上記被覆姿勢に保持される形状に形成されていることである。
【００１０】
また、上記カバーを上記開放姿勢に保持する姿勢保持部材が設けられていることが好ましい。
【００１１】
上記窓部がバケツ本体の側壁に設けられている場合、この窓部がバケツ本体の側壁上部に配置されており、この窓部が開閉されるためのカバーが設けられていることが好ましい。
【発明の効果】
【００１２】
この釣用バケツによれば、収容物の釣用餌が海水等で水浸しになった場合でも、釣人が釣用餌の流出を防ぎつつ排水することができる。この釣用バケツの窓部は、必要に応じて窓部のカバーにより開閉することが容易にできる。カバーが閉じられると海水や雨の浸入が防がれ、収容物が水浸しになることがない。また、カバーが閉じられれば釣用餌等の臭気がバケツの外に出ることを防止できる。このため釣用バケツを車や電車で運搬するときにも安心できる。
【発明を実施するための最良の形態】
【００１３】
以下、適宜図面が参照されつつ、好ましい実施形態に基づいて本発明が詳細に説明される。
【００１４】
図１は、本発明の釣用バケツ１が示された斜視図である。この釣用バケツ１は、上面に開口を有する容器状に形成されたバケツ本体３と、このバケツ本体３に設けられ上記開口を開閉する蓋部材５とを備えている。この蓋部材５の隅部７には、窓部９が設けられている。窓部９は、通水性を有するメッシュ構造を備えている。このため、蓋部材５が上記開口を閉じた状態であっても、上記バケツ本体３の内部と外部とは、メッシュ構造を介して連通される。なお、上記隅部７には、隅部を含み中間部等に連なる帯状領域を含む。
【００１５】
図１に示されているように、バケツ本体３の一対の対向する側壁１１の表面に把手１３が設けられている。この把手１３は、取付用のステー１５と、これに接合された握り部１７とを備えている。両把手１３は一つにまとめられて持ちやすい固定ハンガーにもすることができる。これらは、可撓性を有するＥＶＡ等により形成することができ、強度と耐久性とを備えられる。この把手１３により、釣用バケツ１の重量が増したときでも、持ち運びが容易となる。
【００１６】
釣用バケツ１の形状は、全体が直方体形になっている。釣用バケツ１の大きさは、長径が３０ｃｍから５０ｃｍ程度のものが多い。バケツ本体３には、海水等の浸入を防止するために非透水性の材質が用いられる。釣用バケツ１は、これに撒き餌が収納されて持ち運ばれるため、撒き餌の出し入れが便利であることが望まれる。これらの面からバケツ本体３は、比較的軽量である合成樹脂が好適に用いられる。合成樹脂製でも剛性が高く、高荷重が加えられても歪まないものは、重量が重く、嵩張る場合が多い。しかし、容易に変形しすぎると、蓋部材５の開閉による収容物の取り出し入れしにくかったり、釣りしている側に置くのに不安定である場合がある。
【００１７】
バケツ本体３は、形状保持性とともに可撓性を備えており、軽量で、しかも耐久性があることが好ましい。バケツ本体３を構成する材料としては、例えば、ナイロン、ポリエステル、ポリプロピレン等の繊維とともに、ポリ塩化ビニル、ポリエチレン等の合成樹脂又はゴムが複合被覆されたもの等も用い得る。しかし、上記の形状保持性と柔軟性及び耐久性がバランスさせやすい面から、主にＥＶＡ（エチレンビニルアセテート）が好適に用いられる。
【００１８】
バケツ本体３の中の撒き餌は、柄杓ですくい上げられるときに側壁１１の内側に押し当てて固められる。側壁１１は、この動作による変形に耐えられる剛性が求められる。すなわち、上記バケツ本体３の内側壁面は、撒き餌を押しつけても腰折れしない程度の剛性が備えられていることが好ましい。また、可撓性が備えられている場合は、収容物がないときにバケツ本体３の余分な空間が折りたためる。折りたたまれることにより、持ち運びのための体積が大幅に節約されて助かることが多い。
【００１９】
バケツ本体３の内側壁面は、収容物の撒き餌等による汚れが容易に落とされる材質であることがより好ましい。このため、バケツ本体３の内側壁面には、比較的硬度の高い材料例えば、ポリエチレン、ポリ塩化ビニル等が用いられてもよい。これにより、バケツ本体３の内側壁面は、たわし等で洗っても傷つきにくい利点もある。さらに、この内側壁面に微細なシボ又はエンボス加工等により汚れの落としやすい表面にすることができる。また、上記内側壁面は、お湯を入れても軟化しすぎることがない材質であることが好ましい。
【００２０】
バケツ本体３は、板材により内側の層と外側の層により形成されてもよい。底部２１及び側壁１１に発泡樹脂等の断熱材を配設することができる。バケツ本体３を形成する板材は、全面を厚くして自立性を持たせることができる。しかし、軽量化の面からは、上記重量と可撓性の面から不利であるため、板材は薄い方がよい。側壁１１は、可撓性を有し、しかも上記開口の形状保持性を備えることが望まれる。このため、上記開口の周縁部２３に図示されていないがフレームが設けられてもよい。このフレームは、バケツ本体３の上記周縁部２３の形状に沿って形成され、バケツ本体３に所定の剛性を与える。本実施形態では、上記周縁部２３には、パイプ状の剛性保持材が入っている。すなわち、この周縁部２３は、フレームを備えている。
【００２１】
バケツ本体３は、一体成形により成形されることができる。しかし、釣用バケツ１が磯や突堤の石の上に置かれることがある等に適応させるため、底部２１は、厚みや材質の異なる板材を別途成形されて接合されてもよい。この底部２１には、収容物の重量を支えるある程度の剛性と、石等の外部の障害物で容易に破れないような耐久性とが備えられる。バケツ本体３の成形は、例えば、底部２１の周端と側壁１１とが溶着されることにより行われる。すなわち、底部２１の周端縁部が筒状の側壁１１に沿う立ち上がり部を備えており、この立ち上がり部が側壁１１の内側に溶着接合される。
【００２２】
側壁１１が前述のように柔軟性を備えて側壁１１の高さ方向中間部から折れることにより折りたたまれる一方、この底部２１により、バケツ本体３の所定の形状が確保される。また、底部２１は、多少の傾斜や窪みをまたぐ場所でも安定して置けるような材質、形状にすることが好ましい。このため、地面に沿いやすいようにグルーブが底部に設けられてもよい。また、底部２１に滑り止め模様付きのゴムシート等が貼り付けられてもよい。
【００２３】
蓋部材５は、バケツ本体３の上面を覆って閉じるように上記開口に相応した形状に形成されている。この蓋部材５は、防水性と柔軟性とを備えた材質からなることが好ましい。この蓋部材５もバケツ本体３と同様のＥＶＡその他の板材から構成することができる。しかし、蓋部材５がバケツ本体３と同一の材質である必要はなく、例えばゴム系材質が用いられ得る。
【００２４】
蓋部材５には、図示されていないが、バケツ本体３に取り付けるための片部がバケツ本体３の長辺又は短辺の上縁付近の外壁面に縫いつけられ又は溶着される。このようにして片部がバケツ本体３に蝶番状に接合されることにより、開閉自在の蓋部材５が形成される。図１に示されているように、スライドファスナー２５が取り付けられ、上記開口が蓋部材５で開閉されるようにすることができる。このファスナー２５により、防風及び防水が確保され、収容物の散逸が防止される。
【００２５】
上記蓋部材５には、窓部９が備えられている。図２は、カバー２７で覆われた窓部９が蓋部材５に取り付けられている様子が示された釣用バケツ１の部分平面図である。図３は、窓部９のカバー２７が開放姿勢に保たれている様子が示された釣用バケツ１の部分平面図である。図４は、図２のＩＶ−ＩＶ線に沿った断面図であり、図５は、図３のＶ−Ｖ線に沿った断面図である。
【００２６】
図３に示されているように、釣用バケツ１には、バケツ本体３の内部と外部とを連通する窓部９が設けられている。この窓部９には、通水性を有するメッシュ構造が備えられている。このメッシュ構造により、直径が１．０ｍｍを超える粒子の通過を阻止する小孔２９が多数設けられていることが好ましい。この窓部９により、釣用バケツの収容物である撒き餌等を通さないで排水することができる。窓部９のメッシュ構造は、ナイロン、ポリエステル、塩化ビニル等の繊維製のメッシュが溶着、接着又は縫着されて形成され得る。また、硬質の樹脂からなり多数の小孔２９を有する成形品が用いられてもよい。この窓部９では、鋭利な障害物によっても破れにくいメリットがある。
【００２７】
窓部９が設けられる位置は、通常、蓋部材５の縁部３１に近い隅部７である（図２参照）。窓部９の縁部３１の側端３３が縁部３１から遠い場合は、釣用バケツ１を傾斜させても内部の水が排出されず、残る水の量が多くなる。しかし、側端３３が縁部３１に近すぎる場合は、窓部９の耐久性、カバー２７の保持しにくさ等を伴い好ましくないことが多い。排水しやすい窓部９が設けられるように、窓部９の縁部側の端３３と蓋部材５の縁部３１との距離Ｌが３ｍｍ以上４ｃｍ以下になるように配置されることが好ましい。なお、上記の「隅部」とは、一つ又は二つの隅部７を含み蓋部材５の縁部３１に沿って又は中央部に向かって延びる帯状領域を含む。
【００２８】
窓部９の大きさは、蓋部材５の面積に占める窓部９の面積の占有比率が０．５％から１０％程度の範囲であることが好ましい。この比率が小さすぎると排水に時間がかかり排水しにくい。また、この比率が大きすぎると外部からの水等の浸入防止のシール性、構造上の強度等に難点が生じる恐れがある。窓部９の形状は、特に制限はないが、複雑な形状にすることは釣用バケツの製造上好ましくない。通常は隅部の形状に相似の三角形状であることが取付構造に無駄が無く排水しやすい点から好ましい。
【００２９】
蓋部材５は、蓋部材本体３５と、ベース部３７とを有する。ベース部３７は、蓋部材本体３５に設けられており、蓋部材３５から隆起した状態となるように取り付けられている。上記窓部９は、ベース部３７に設けられている。ベース部３７は、蓋部材本体３５が隆起形成されることによって構成されていてもよい。ベース部３７は、後述するカバー２７との嵌合に好適なものとするために、カバー２７とペアで成形されるのが好ましい。また、ベース部３７は、蓋部材本体３５とは異なる材質から構成されていてもよい。その場合、ベース部３７は、蓋部材本体３５に逢着されていてもよい。
【００３０】
上記カバー２７は、この窓部９を覆っている。このため、窓部９は、防水されている。図４及び図５に示されているように、このカバー２７は、ベース部３７を覆う被覆姿勢と、開放する開放姿勢との間で姿勢変化する。図４では、カバー２７はベース部３７に嵌合しており、窓部９は閉ざされている。このカバー２７は、柔軟性と、ある程度の剛性とを備えている。これにより、カバー２７がベース部３７に嵌合すると、カバー２７は、上記被覆姿勢に保持される。ベース部３７は、一定の剛性を備えており、形状保持性を有する。また、ベース部３７は、ある程度の弾性又は可撓性を備えていることが好ましい。
【００３１】
ベース部３７は、傾斜側壁３９を備えている。この傾斜側壁３９は、図４が示すように斜め上方に傾斜しており、その傾斜角度は、傾斜側壁３９の高さが高いときは小さく、低いときは大きく設定されることが多い。したがって、カバー２７は、ベース部３７に嵌合しやすく、小さなショック等では容易に外れない。また、カバー２７は、窓部９が開放されるときには、一動作でベース部３７から外れる。なお、カバー２７及びベース部３７の双方が可撓性を備えていなくてもよい。例えば、ベース部３７が硬質樹脂で高い剛性を有していても、カバー２７が可撓性に富むゴム等で構成されていればよい。この場合は、カバー２７が弾性変形することによってベース部３７に嵌合され、カバー２７の緊迫力等によって当該被覆姿勢が保持される。
【００３２】
図５では、カバー２７が捲られて窓部９が開放されている様子が示されている。カバー２７は、柔軟性を有し弾性を備えているため、開放されたときに生じる歪みにより元の閉じた位置に戻ろうとする応力が生じている。この開放姿勢を維持するための姿勢保持部材として、カバー２７にはスナップ４１が備えられている。カバー２７が開放された状態では、スタッド４３がソケット４５に填められて保持される。
【００３３】
図６は、スナップが二対設けられている場合の釣用バケツ１が示された部分断面図である。この図では、上記スナップ４１に加えてスナップ４７が取り付けられている。窓部９が閉じられるときに、カバー２７に取り付けられたスタッド４９がベース部３７に取り付けられたソケット５１に填められることによりカバー２７が保持される。この例の場合は、前述のカバー２７とベース部３７との嵌合状態をより確実にすることができる。その分だけ、カバー２７とベース部３７との良好な嵌合状態を保つための両者の材質及び形状の許容範囲が広くなり得る。
【００３４】
図７は、本発明の他の実施形態に係る釣用バケツ５５が示された部分断面図である。この釣用バケツ５５も、図示されていないが、上面に開口を有する容器状に形成されたバケツ本体と、このバケツ本体に設けられ上記開口を開閉する蓋部材５７とを備えている。この蓋部材５７の隅部には、蓋部材５７が上記開口を閉じた状態で上記バケツ本体の内部と外部とを連通する窓部５９が設けられている。窓部５９は、通水性を有するメッシュ構造を備えている。
【００３５】
窓部５９は、多数の小孔６１を備えている。この小孔６１は、上記実施形態に係る釣用バケツ１に設けられた小孔２９と同様の形状である。カバー６５はベース部６３を覆い上記窓部５９を閉じることができるように設けられている。このカバー６５は、窓部５９が自在に開閉できるように柔軟性を備えている。このカバー６５は、防水材６７を備えている。この防水材６７は、カバー６５が閉じられたときに窓部５９の周縁に当接し窓部５９の防水を図る。
【００３６】
この防水材６７としては、発泡倍率の高いＥＶＡ等の発泡成型品が好適に用いられる。このカバー６５は、スナップ６９により閉じられた状態が保持される。このとき同時に、上記防水材６７がカバー６５に圧縮されて弾性変形する。この弾性変形により、窓部５９の周縁がカバー６５で閉鎖される。カバー６５が開放されるときはスナップ７１により開放姿勢が保持される。この釣用バケツ５５も内部に水が溜まったときに収容物を残して排水することができる。
【００３７】
なお、上記防水材６７は、カバー６５の裏面全体に取り付けられてもよい。この場合は、カバー６５による窓部５９の開閉がさらに容易に、確実にできる。また、例えば、窓部５９の閉鎖と開放が確保されるために、スナップ６９，７１の変わりに、スライドファスナーが採用されてもよい。この場合は、カバー６５が蓋部材５７に接合されておれば、ベース部６３の材質等にかかわらず、窓部５９の開閉ができる。
【００３８】
図８は、本発明のさらに他の実施形態に係る釣用バケツ７５が示された斜視図である。
この釣用バケツ７５も、上面に開口を有する容器状に形成されたバケツ本体７７と、このバケツ本体７７に設けられ、上記開口を開閉する蓋部材７９とを備えている。上記バケツ本体７７は、上記釣用バケツ１と同様に、側壁８１と底部８３とを備えており、側壁８１の表面に把手８５が設けられている。この図に示されているように、蓋部材７９が上記開口を閉じた状態で上記バケツ本体７７の内部と外部とを連通する窓部８７が上記蓋部材７９の短辺の縁部に沿って二カ所の隅部を含み帯状に設けられている。
【００３９】
この窓部８７には、通水性を有するメッシュ構造が備えられている。窓部８７は、上記実施形態に係る釣用バケツ１に設けられた小孔２９（図３参照）と同様の多数の小孔８９を備えている。この窓部８７が取り付けられたベース部には、カバー９１が備えられている。このカバー９１はベース部を覆い上記窓部８７を閉じることができるように設けられている。このカバー９１は、窓部８７が自在に開閉できるように柔軟性を備えている。このカバー９１の開閉は、カバー９１に取り付けられたスライドファスナー９３によって行われる。図８は、カバー９１が開放されて、開放姿勢保持部材であるスナップ９５により開放姿勢が保持されている状態が示されている。この釣用バケツ７５も内部に水が溜まったときに収容物を残して排水することができるとともに、バケツ７５の外部からの防水及び内部の臭気の発散が防止できる。
【００４０】
図９は、本発明のさらに他の実施形態に係る釣用バケツ９７が示された斜視図である。この釣用バケツ９７も、上面に開口を有する容器状に形成されたバケツ本体９９と、このバケツ本体９９に設けられ、上記開口を開閉する蓋部材１０１とを備えている。上記バケツ本体９７は、側壁１０３と底部１０５とを備えており、側壁１０３の表面に把手１０７が設けられている。この図に示されているように、蓋部材１０１が上記開口を閉じた状態で上記バケツ本体９７の内部と外部とを連通する窓部１０９が側壁１０３の上部に設けられている。なお、側壁１０３の上部とは、側壁１０３のバケツ本体９７の高さ方向中心の高さよりも高い領域をいう。
【００４１】
側壁１０３には、バケツ本体９７の内部と外部とを貫通する孔が設けられている。この窓部１０９は、この孔の周囲に設けられた窓部取付用のベース部に取り付けられる。このベース部は、側壁１０３表面から陥没していても又隆起していてもよい。なお、このベース部は、側壁１０３と一体的に形成されてもよい。またベース部は、別に成形されたものが側壁１０３に接合されて形成されてもよい。この窓部１０９には、通水性を有するスリット構造が備えられている。この窓部１０９は、複数のスリット１１１からなる細隙を備えている。この細隙は、直径が１．０ｍｍを超える粒子の通過を阻止する。この窓部１０９には、当該窓部１０９を覆い、バケツ本体９７の内部と外部との連通を閉鎖することができる防水性のカバー１１３が備えられていることが好ましい。釣用バケツ９７内部の排水の際等には、このカバー１１３が外される。
【００４２】
このカバー１１３は、カバー１１３を嵌合して保持するためにベース部に設けられたカバー保持部により保持される。このカバー保持部には、例えば、蓋部材に適用される公知の種々の突起又は溝状の嵌合構造が用いられ得る。この図の例では、カバー１１３は、嵌合された状態で側壁１０３から立ち上がるサイド部１１５を備えている。このサイド部１１５には、カバー１１３の開閉時にカバー１１３の滑りを防止するための突起１１７が備えられている。このカバー１１３の裏面にも前述の防水材６７（図７参照）が適用されてもよい。この釣用バケツ９７も内部に水が溜まったときに収容物を残して排水することができるとともに、バケツ９７の外部からの防水及び内部の臭気の発散が防止できる。
【産業上の利用可能性】
【００４３】
本発明は、釣用バケツ又は釣用バッグである、いわゆるバッカンに適用され得る。
【図面の簡単な説明】
【００４４】
【図１】図１は、本発明の釣用バケツが示された斜視図である。
【図２】図２は、カバーで覆われた窓部が蓋部材５に取り付けられている様子が示された釣用バケツの部分平面図である。
【図３】図３は、窓部のカバーが開放姿勢に保たれている様子が示された釣用バケツの部分平面図である。
【図４】図４は、図２のＩＶ−ＩＶ線に沿った断面図である。
【図５】図５は、図３のＶ−Ｖ線に沿った断面図である。
【図６】図６は、スナップが二対設けられた場合の釣用バケツが示された部分断面図である。
【図７】図７は、本発明の他の実施例に係る釣用バケツが示された部分断面図である。
【図８】図８は、本発明のさらに他の実施形態に係る釣用バケツが示された斜視図である。
【図９】図９は、本発明のさらに他の実施形態に係る釣用バケツが示された斜視図である。
【図１０】図１０は、従来の釣用バケツの正面図である。
【符号の説明】
【００４５】
１、５５、７５、９７、１１９・・・釣用バケツ
３、７７、９９、１２１・・・バケツ本体
５、５７、７９、１０１・・・蓋部材
９、５９、８７、１０９・・・窓部
１１、８１、１０３・・・側壁
１３、８５、１０７、１２５・・・把手
１５、１２７・・・取付用ステー
２１、８３、１０５・・・底部
２７、６５、９１、１１３・・・カバー
２９、６１、８９・・・小孔
３５・・・蓋部材本体
３７、６３、・・・ベース部
４１、６９、７１、９５・・・スナップ
４３、４９・・・スタッド
４５、５１・・・ソケット
６７・・・防水材
【図１】
2005304301.tif 000003
【図２】
2005304301.tif 000004
【図３】
2005304301.tif 000005
【図４】
2005304301.tif 000006
【図５】
2005304301.tif 000007
【図６】
2005304301.tif 000008
【図７】
2005304301.tif 000009
【図８】
2005304301.tif 000010
【図９】
2005304301.tif 000011
【図１０】
2005304301.tif 000012